【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
対象のイメージングのための磁気共鳴（ＭＲ）システムであって、
処理を行うようにＭＲスキャナを制御するように形成される電子データ処理装置を有し、前記処理は：
ブラック・ブラッド・イメージング・シーケンスを複数回反復することであって、前記ブラック・ブラッド・イメージング・シーケンスは、組織ヌル化サブ・シーケンスに続いて、前記組織ヌル化サブ・シーケンスの後或る時間インターバルで実行されるブラック・ブラッド取得サブ・シーケンスを含む、こと；
前記ブラック・ブラッド・イメージング・シーケンスが順に反復される間に、組織ヌル化サブ・シーケンスに続いて、当該組織ヌル化サブ・シーケンスの後前記時間インターバルで実行されるブライト・ブラッド取得サブ・シーケンスを含むブライト・ブラッド・イメージング・シーケンスを実行することであって、前記ブラック・ブラッド・イメージング・シーケンス及び前記ブライト・ブラッド・イメージング・シーケンスの前記時間インターバルは同じ持続時間によるものである、こと；
前記ブラック・ブラッド・イメージング・シーケンスを実行することにより生成されるＭＲイメージング・データを再構築し、ブラック・ブラッド画像を生成すること；
前記ブライト・ブラッド・イメージング・シーケンスを実行することにより生成されるＭＲイメージング・データを再構築し、ブライト・ブラッド画像を生成すること；
を含み、前記ブラック・ブラッド・イメージング・シーケンスは、前記時間インターバルの間で、前記組織ヌル化サブ・シーケンスと前記ブラック・ブラッド取得サブ・シーケンスとの間に介在する１つ以上の連続的なＲＦパルス・ペアを含み、
前記ブライト・ブラッド・イメージング・シーケンスは、前記時間インターバルの間で、前記組織ヌル化サブ・シーケンスと前記ブライト・ブラッド取得サブ・シーケンスとの間に介在する１つ以上の連続的なＲＦパルス・ペアを含む、ＭＲシステム。
【請求項２】
前記組織ヌル化サブ・シーケンスは、空間的に非選択的な９０度ＲＦパルスの後にスポイラ磁場グラジエントが続くことを含む、請求項１に記載のＭＲシステム。
【請求項３】
前記連続的なＲＦパルス・ペアの各々は、振幅αのＲＦパルスの後に振幅−αのＲＦパルスを含む、請求項１又は２に記載のＭＲシステム。
【請求項４】
αは１８０度である、請求項３に記載のＭＲシステム。
【請求項５】
前記振幅αのＲＦパルスは空間的に選択的でなく、振幅−αのＲＦパルスは空間的に選択的である、請求項３に記載のＭＲシステム。
【請求項６】
前記電子データ処理装置は、前記ブライト・ブラッド画像に基づいて動脈入力関数を算出するように更に形成される、請求項１に記載のＭＲシステム。
【請求項７】
対象のイメージングのための磁気共鳴（ＭＲ）方法であって、
ＭＲスキャナを利用してブラック・ブラッド・イメージング・シーケンスを複数回反復するステップであって、前記ブラック・ブラッド・イメージング・シーケンスは、約９０度無線周波数（ＲＦ）パルスと、ブラック・ブラッド・イメージングのためのブラック・ブラッド取得サブ・シーケンスと、前記ブラック・ブラッド・イメージング・シーケンスの前記９０度ＲＦパルスから前記ブラック・ブラッド取得サブ・シーケンスに至るまでの遅延とを含む、ステップと、
前記ブラック・ブラッド・イメージング・シーケンスが順に反復される間に、前記ＭＲスキャナを利用して、ブライト・ブラッド・イメージング・シーケンスを実行するステップであって、前記ブライト・ブラッド・イメージング・シーケンスは、約９０度ＲＦパルスと、ブライト・ブラッド・イメージングのためのブライト・ブラッド取得サブ・シーケンスと、前記ブライト・ブラッド・イメージング・シーケンスの前記９０度ＲＦパルスから前記ブライト・ブラッド取得サブ・シーケンスに至るまでの遅延とを含む、ステップと、
前記ブラック・ブラッド・イメージング・シーケンスを実行することにより生成されるＭＲイメージング・データを再構築し、ブラック・ブラッド画像を生成するステップと、
前記ブライト・ブラッド・イメージング・シーケンスを実行することにより生成されるＭＲイメージング・データを再構築し、ブライト・ブラッド画像を生成するステップと
を有し、前記ブラック・ブラッド・イメージング・シーケンス及び前記ブライト・ブラッド・イメージング・シーケンスの前記遅延は同じ持続時間によるものであり、
前記ブラック・ブラッド・イメージング・シーケンスは、前記ブラック・ブラッド・イメージング・シーケンスの前記遅延の間に、前記ブラック・ブラッド・イメージング・シーケンスの前記約９０度ＲＦパルスと前記ブラック・ブラッド取得モジュールとの間に介在する１つ以上の連続的なＲＦパルス・ペアを含み、
前記ブライト・ブラッド・イメージング・シーケンスは、前記ブライト・ブラッド・イメージング・シーケンスの前記遅延の間で、前記ブライト・ブラッド・イメージング・シーケンスの前記約９０度ＲＦパルスと前記ブライト・ブラッド・イメージング・シーケンスの取得モジュールとの間に介在する１つ以上の連続的なＲＦパルス・ペアを含む、ＭＲ方法。
【請求項８】
前記ブラック・ブラッド・イメージング・シーケンスは、前記ブラック・ブラッド・イメージング・シーケンスの前記約９０度ＲＦパルスの後にスポイラ・グラジエントが続くことを含む組織ヌル化サブ・シーケンスを含み、前記ブライト・ブラッド・イメージング・シーケンスは、前記ブライト・ブラッド・イメージング・シーケンスの前記約９０度ＲＦパルスの後にスポイラ・グラジエントが続くことを含む同じ組織ヌル化サブ・シーケンスを含む、請求項７に記載のＭＲ方法。
【請求項９】
前記連続的なＲＦパルス・ペアの各々は、αＲＦパルスと−αＲＦパルスとを含み、αは０度ないし３５９度の範囲内にある、請求項８に記載のＭＲ方法。
【請求項１０】
前記αＲＦパルスは空間的に選択的ではなく、前記−αＲＦパルスは空間的に選択的な磁場グラジエントにより生じる、請求項９に記載のＭＲ方法。
【請求項１１】
ＭＲスキャナに関連して動作する電子データ処理装置により実行される命令を格納する非一時的な記憶媒体であって、前記ＭＲスキャナは、対象の磁気共鳴（ＭＲ）イメージングのための方法を実行するように前記電子データ処理装置により制御され、前記方法は：
ＭＲスキャナを利用してブラック・ブラッド・イメージング・シーケンスを複数回反復するステップであって、前記ブラック・ブラッド・イメージング・シーケンスは、約９０度無線周波数（ＲＦ）パルスと、ブラック・ブラッド・イメージングのためのブラック・ブラッド取得サブ・シーケンスと、前記ブラック・ブラッド・イメージング・シーケンスの前記９０度ＲＦパルスから前記ブラック・ブラッド取得サブ・シーケンスに至るまでの遅延とを含む、ステップと、
前記ブラック・ブラッド・イメージング・シーケンスが順に反復される間に、前記ＭＲスキャナを利用して、ブライト・ブラッド・イメージング・シーケンスを実行するステップであって、前記ブライト・ブラッド・イメージング・シーケンスは、約９０度ＲＦパルスと、ブライト・ブラッド・イメージングのためのブライト・ブラッド取得サブ・シーケンスと、前記ブライト・ブラッド・イメージング・シーケンスの前記９０度ＲＦパルスから前記ブライト・ブラッド取得サブ・シーケンスに至るまでの遅延とを含む、ステップと、
を有し、前記ブラック・ブラッド・イメージング・シーケンス及び前記ブライト・ブラッド・イメージング・シーケンスの前記遅延は同じ持続時間によるものであり、
前記ブラック・ブラッド・イメージング・シーケンスは、前記ブラック・ブラッド・イメージング・シーケンスの前記遅延の間に、前記ブラック・ブラッド・イメージング・シーケンスの前記約９０度ＲＦパルスと前記ブラック・ブラッド取得モジュールとの間に介在する１つ以上の連続的なＲＦパルス・ペアを含み、
前記ブライト・ブラッド・イメージング・シーケンスは、前記ブライト・ブラッド・イメージング・シーケンスの前記遅延の間で、前記ブライト・ブラッド・イメージング・シーケンスの前記約９０度ＲＦパルスと前記ブライト・ブラッド・イメージング・シーケンスの取得モジュールとの間に介在する１つ以上の連続的なＲＦパルス・ペアを含む、記憶媒体。
【請求項１２】
ＭＲスキャナを有し、対象のイメージングのための磁気共鳴（ＭＲ）システムであって、
前記ＭＲスキャナは、ブラック・ブラッド・イメージング・シーケンスを複数回反復するように形成され、前記ブラック・ブラッド・イメージング・シーケンスは、無線周波数（ＲＦ）パルスによる組織信号ヌル化サブ・シーケンスと、ブラック・ブラッド・イメージング・データを生成するための取得サブ・シーケンスと、前記ブラック・ブラッド・イメージング・シーケンスの前記組織信号ヌル化サブ・シーケンスの前記ＲＦパルスから前記ブラック・ブラッド・イメージング・シーケンスの前記取得サブ・シーケンスに至るまでの遅延とを含み、前記ブラック・ブラッド・イメージング・シーケンスは、前記遅延の間に、前記組織信号ヌル化サブ・シーケンスと前記取得サブ・シーケンスとの間に介在する１つ以上の連続的なＲＦパルス・ペアを更に含み、
前記ＭＲスキャナは、ブライト・ブラッドＭＲイメージング・データを生成するために、前記ブラック・ブラッド・イメージング・シーケンスの複数の反復に対してインターリーブされる複数のブライト・ブラッド・イメージング・シーケンスを反復するように形成され、前記ブライト・ブラッド・イメージング・シーケンスは、前記ＲＦパルスによる組織信号ヌル化サブ・シーケンスと、ブライト・ブラッド・イメージング・データを取得するための取得サブ・シーケンスと、前記ブライト・ブラッド・イメージング・シーケンスの前記組織信号ヌル化サブ・シーケンスの前記ＲＦパルスから前記ブライト・ブラッド・イメージング・シーケンスの前記取得サブ・シーケンスに至るまでの遅延とを含み、前記ブライト・ブラッド・イメージング・シーケンスは、前記遅延の間で、前記組織信号ヌル化サブ・シーケンスと前記ブライト・ブラッド取得サブ・シーケンスとの間に介在する１つ以上の連続的なＲＦパルス・ペアを含み、
前記ブラック・ブラッド・イメージング・シーケンス及び前記ブライト・ブラッド・イメージング・シーケンスの前記遅延は同じ持続時間によるものであり、
前記ブラック・ブラッド・イメージング・シーケンスを実行することにより生成されるブラック・ブラッドＭＲイメージング・データを再構築し、ブラック・ブラッド画像を生成し；
前記ブライト・ブラッド・イメージング・シーケンスを実行することにより生成されるブライト・ブラッドＭＲイメージング・データを再構築し、ブライト・ブラッド画像を生成する、ＭＲシステム。
【請求項１３】
前記ブラック・ブラッド画像及び前記ブライト・ブラッド画像のうち少なくとも何れかを表示するように構成されるディスプレイ装置を更に有する請求項１に記載のＭＲシステム。
【請求項１４】
前記ブラック・ブラッド画像、前記ブライト・ブラッド画像、及び動脈入力関数のうち少なくとも何れかを表示するように構成されるディスプレイ装置を更に有する請求項６に記載のＭＲシステム。
【請求項１５】
前記ブラック・ブラッド画像及び前記ブライト・ブラッド画像のうち少なくとも何れかをディスプレイ装置に表示するステップを更に有する請求項７に記載のＭＲ方法。
【請求項１６】
前記ブラック・ブラッド画像及び前記ブライト・ブラッド画像のうち少なくとも何れかを表示するように構成されるディスプレイ装置を更に有する請求項１２に記載のＭＲシステム。